(57)【要約】      （修正有）【課題】  本発明は、ポータブル端末機に関し、特に、ポータブル端末機のアンテナ装置に関する。【解決手段】  ポータブル端末機のアンテナ装置において、前記端末機の本体に固定されるアンテナハウジングと、該アンテナハウジング内部に固定されて、前記本体に内蔵したマザーボードと電気的に接続される固定型アンテナと、前記アンテナハウジングの内側面に固定されて、通話時に使用者の頭と前記固定型アンテナとの間に介されるシールドプレートと、を具備する。【選択図】図３
2005218096.tif 000002
【特許請求の範囲】
【請求項１】
ポータブル端末機のアンテナ装置において、
前記端末機の本体に固定されるアンテナハウジングと、
該アンテナハウジング内部に固定されて、前記本体に内蔵したマザーボードと電気的に接続される固定型アンテナと、
前記アンテナハウジングの内側面に固定されて、通話時に使用者の頭と前記固定型アンテナとの間に介されるシールドプレートと、
を具備することを特徴とするポータブル端末機のアンテナ装置。
【請求項２】
前記固定型アンテナはコイル形態のヘリカルアンテナである請求項１に記載のポータブル端末機のアンテナ装置。
【請求項３】
前記シールドプレートの幅と長さは、それぞれ前記固定型アンテナの幅と長さと同じであるかさらに大きく形成され、また前記シールドプレートの幅は前記固定型アンテナを取り囲まない程度の大きさである請求項１に記載のポータブル端末機のアンテナ装置。
【請求項４】
前記固定型アンテナはコイル形態のヘリカルアンテナであり、前記シールドプレートは前記ヘリカルアンテナの直径より大きな幅と、前記ヘリカルアンテナの長さより長い長さで製作される請求項１に記載のポータブル端末機のアンテナ装置。
【発明の詳細な説明】
【技術分野】
【０００１】
本発明はポータブル端末機に関し、特に、ポータブル端末機のアンテナ装置に関する。
【背景技術】
【０００２】
通常の概念の“ポータブル端末機”とは、使用者が携帯しながら相手と無線通信を遂行することができる装置を意味する。このようなポータブル端末機は携帯性を考慮して小型化及び軽量化されて行く傾向にあり、マルチメディア環境やインターネットなど、より多様な機能を追い求めることができる方向に進んでいる傾向にある。同時に、ポータブル端末機は老若男女、全世界どこでも普遍化されている通信装置であり、常時携帯しなければならない必需品になっている傾向にある。
【０００３】
一方、ポータブル端末機は使用者の趣向に合致するためにバー型、フリップ型、フォルダ型端末機からディスプレー装置が設置されたハウジングの前後面の反転が可能なロータリー型端末機、一対のハウジングが長さ方向にスライディング移動可能に結合されたスライディング型端末機など、だんだん多様で個性あるデザインの端末機の発売が開始されている。このような多様な端末機は良好な送受信率と信号品質を確保するために、共通してアンテナ装置を具備する。通常、アンテナ装置は端末機本体上に固定されるヘリカルアンテナと端末機本体上で引入／引き出し可能に設置されるホイップアンテナ（whip antenna）の組合せで構成されたが、アンテナ装置の性能がだんだん向上しながら端末機本体上に固定されたアンテナ装置単独で使用することができるようになったし、また、端末機本体に内蔵した形態のアンテナ装置も常用化されている。
【０００４】
図１は従来技術の実施例によるアンテナ装置１００を具備するポータブル端末機１０を示す斜視図であり、図２は図１に示されたアンテナ装置１００を示す分離斜視図であり、端末機１０上に固定される固定型アンテナである。
【０００５】
前記ポータブル端末機１０は一つのバー型ハウジングにマザーボードなどを内蔵して、前面にディスプレー装置１１、キーパッド１３、送話部１５ａ及び受話部１５ｂが設置されて、後面にバッテリーパック１７が装着されて、上端に固定型アンテナ装置１００が設置される。
【０００６】
図２を参照すれば、前記アンテナ装置１００は、支持体１０１、ヘリカルアンテナ１０２及びアンテナハウジング１０３を具備する。
【０００７】
前記支持体１０１は、前記端末機１０の内部に固定される第１固定部１１１、前記アンテナハウジング１０３の一端に固定される第２固定部１１３、及び、前記ヘリカルアンテナ１０２を支持する支持棒１１５で構成される。前記第１固定部１１１には前記端末機１０の内部で突起などの固定手段（図示せず）と結合される固定ホール１１１ｂが提供されて、前記端末機１０内部に提供される給電部（図示せず）と接続される接続端子１１１ａが設置される。前記第２固定部１１３は前記第１固定部１１１の一端に提供されて、外周面に固定溝１１３ａが形成される。前記支持棒１１５は前記第２固定部１１３から長さ方向に延長されてコイル形態の前記ヘリカルアンテナ１０２が前記支持棒１１５の外周面に絡まる形態で設置されることで、固定型アンテナを構成するようになる。
【０００８】
前記アンテナハウジング１０３にはその一端から延長される収容ホール１３１が形成されて、前記支持棒１１５上に絡まった状態のヘリカルアンテナ１０２が前記収容ホール１３１内に位置される。前記収容ホール１３１の端部には前記第２固定部１１３の固定溝１１３ａに対応する突起などの固定手段（図示せず）が形成される。よって、前記第２固定部１１３は前記アンテナハウジング１０３の端部に固定された状態を維持することができるようになる。
【０００９】
しかし、ポータブル端末機の固定型アンテナ装置は通話時、使用者の頭部に干渉されてアンテナ装置の放射パターンが変化される。これはアンテナ装置の性能を低下させる問題点を誘発するようになって、電波環境が劣悪な地域では通信が断絶される現象を誘発するようになる。このような問題点はアンテナ装置と使用者の頭部との間にフォルダが介されるフォルダ型端末機に比べてバー型またはフリップ型端末機に設置される固定型アンテナ装置ではさらに深刻である。
【発明の開示】
【発明が解決しようとする課題】
【００１０】
上記背景に鑑みて、本発明の目的は、使用者の頭など人体による干渉を防止することで、端末機の送受信性能を良好に維持することができるポータブル端末機のアンテナ装置を提供することにある。
【課題を解決するための手段】
【００１１】
前記のような目的を達成するために、本発明はポータブル端末機のアンテナ装置において、前記端末機の本体に固定されるアンテナハウジングと、該アンテナハウジング内部に固定されて、前記本体に内蔵したマザーボードと電気的に接続される固定型アンテナと、前記アンテナハウジングの内側面に固定されて、通話時に使用者の頭と前記固定型アンテナとの間に介されるシールドプレートと、を具備するポータブル端末機のアンテナ装置を開示する。
【発明の効果】
【００１２】
本発明によるポータブル端末機のアンテナ装置は通話時、使用者の頭と固定型アンテナとの間に介されるシールドプレートを提供することで、アンテナの放射パターンが使用者の頭部などの影響を受けることを防止して、アンテナ装置の性能向上に寄与するようになった。前記のようなシールドプレートによるアンテナ装置の性能向上は、特に、電波環境が劣悪な地域で通話断絶現象を改善する效果を得ることができる。また、シールドプレートを設置することのみで、アンテナ装置の性能を改善することができるので、アンテナ装置の開発に所要される費用と時間を節減することができるようになった。
【発明を実施するための最良の形態】
【００１３】
以下、本発明の好適な実施形態について添付図を参照しつつ詳細に説明する。下記説明において、本発明の要旨のみを明瞭にするために公知の機能又は構成に対する詳細な説明は省略する。なお、図面中、同一な構成要素及び部分には、可能な限り同一な符号及び番号を共通使用するものとする。
【００１４】
図３は本発明の望ましい実施例によるポータブル端末機のアンテナ装置３００を示す斜視図であり、図４は図３に示されたラインＡ−Ａ’に沿って前記アンテナ装置３００のアンテナハウジング３０３を切開した様子を示す側断面図である。
【００１５】
図３と図４に示されたように、本発明の望ましい実施例によるポータブル端末機のアンテナ装置３００は、支持体３０１、ヘリカルアンテナ３０２、アンテナハウジング３０３及びシールドプレート３０４を具備する固定型アンテナ装置である。
【００１６】
前記支持体３０１は、ポータブル端末機の内部に固定される第１固定部３１１、前記アンテナハウジング３０３の一端に固定される第２固定部３１３、及び、前記ヘリカルアンテナ３０２を支持する支持棒３１５で構成される。前記第１固定部３１１にはポータブル端末機の内部で突起などの固定手段（図示せず）と結合される固定ホール３１１ｂが提供されて、端末機内部に提供される給電部（図示せず）と接続される接続端子３１１ａが設置される。前記第２固定部３１３は前記第１固定部３１１の一端に提供されて、外周面に固定溝３１１ａが形成される。前記支持棒３１５は前記第２固定部３１３から長さ方向に延長されてコイル形態の前記ヘリカルアンテナ３０２が前記支持棒３１５の外周面に絡まる形態で設置されることで、固定型アンテナを構成するようになる。
【００１７】
前記アンテナハウジング３０３にはその一端から延長される収容ホール３３１が形成されて、前記支持棒３１５上に絡まった状態のヘリカルアンテナ３０２が前記収容ホール３３１内に位置される。前記収容ホール３３１の端部には前記第２固定部３１３の固定溝３１３ａに対応する突起などの固定手段（図示せず）が形成される。よって、前記第２固定部３１３は前記アンテナハウジング３０３の端部に固定された状態を維持することができるようになる。
【００１８】
前記シールドプレート３０４は前記アンテナハウジング３０３の内壁に設置されて、端末機を利用した通話時、前記固定型アンテナ装置３００と使用者の頭との間に介される。前記シールドプレート３０４の幅ｗと長さｈが、前記ヘリカルアンテナ３０２の直径ｄと同じであるかまたはさらに広い幅ｗと、前記ヘリカルアンテナ３０２の長さｌと同じであるかまたはさらに長い長さｈとされたシールドプレート３０４を使った時、前記アンテナ装置３００の性能がさらに向上した。この時、前記シールドプレート３０４の幅ｗがとても広くて前記ヘリカルアンテナ３０２を取り囲むようになる場合、前記シールドプレート３０４は通話モードで前記ヘリカルアンテナ３０２の性能を低下させた。よって、前記シールドプレート３０４の幅ｗと長さｈは前記ヘリカルアンテナ３０２の直径ｄと長さｌに近い値でさらに大きく製作されるのが望ましい。
【００１９】
次の表１は前記シールドプレート３０４の設置前、後に周波数帯域別に前記アンテナ装置３００の利得を比べたものである。
【００２０】
【表１】
2005218096.tif 000003
【００２１】
表１に比較されたように、前記シールドプレート３０４の設置後に前記アンテナ装置３０４の利得は設置前より約２ｄＢ程度改善したことが分かる。また、表２に比較されたように、前記シールドプレート３０４の設置後に放射感度は約１．５ｄＢｍ、放射パワーは約１ｄＢｍ程度向上した。表２は送信周波数８９３．３７ＭＨｚ、受信周波数８４８．３７ＭＨｚで放射感度及び放射パワーをそれぞれ測定した値を記載している。
【００２２】
【表２】
2005218096.tif 000004
【００２３】
前記のような放射感度及び放射パワーの向上は電波環境が劣悪な環境で通話断絶現象を改善するようになる。
【００２４】
また、ヘリカルアンテナなどアンテナ装置の長さ、直径などを調整して前記のようなアンテナ装置の利得、放射感度、放射パターンの改善效果を得るためにはアンテナ装置の性能測定と測定値による長さ、直径などの再調整過程が繰り返されるのに比べて、本発明はシールドプレートを設置することのみでアンテナの性能を改善することができてアンテナ装置開発に所要される費用と時間を節減することができる。
【００２５】
以上、本発明の詳細な説明では具体的な実施例について説明したが、本発明の範囲から脱しない限度内でさまざまな変形が可能であることは、当該分野で通常の知識を有した者において自明である。例えば、本発明の望ましい実施例では固定型アンテナとしてヘリカルアンテナとそれを支持する支持体で構成されたが、製品によっては平板型アンテナまたはロッド（rod）型アンテナなどを適用することができるものである。また、本発明によるアンテナ装置を端末機に適用するにおいて、バー型端末機だけでなく、アンテナ装置を使用する他のどのような端末機に適用することができることは自明である。
【図面の簡単な説明】
【００２６】
【図１】従来技術の実施例によるアンテナ装置を具備するポータブル端末機を示す斜視図である。
【図２】図１に示されたアンテナ装置を示す分離斜視図である。
【図３】本発明の望ましい実施例によるポータブル端末機のアンテナ装置を示す分離斜視図である。
【図４】図３に示されたラインＡ−Ａ'に沿ってアンテナ装置のアンテナハウジングを切開した様子を示す側断面図である。
【符号の説明】
【００２７】
３００  アンテナ装置
３０１  支持体
３０２  ヘリカルアンテナ
３０３  アンテナハウジング
３０４  シールドプレート
３１１  第１固定部
３１１ａ  接続端子
３１１ｂ  固定ホール
３１３  第２固定部
３１３ａ  固定溝
３１５  支持棒
３３１  収容ホール
【図１】
2005218096.tif 000005
【図２】
2005218096.tif 000006
【図３】
2005218096.tif 000007
【図４】
2005218096.tif 000008